(57)【要約】【課題】  従来のネジ固定式のＦＰＣのようにネジ穴を開ける必要のない、ＦＰＣのサイズが小さく、小型で信頼性の高いディスク装置を提供する【解決手段】  本発明のディスク装置は、ディスク状の記憶媒体に対して信号を読み書きするヘッドを支持して前記記憶媒体に対して移動させるキャリッジ部と、コネクタが取り付けられる第１の面と、前記第１の面の裏面を構成する第２の面を有し、前記キャリッジ部を制御する回路が設けられたプリント基板と、前記キャリッジ部と前記プリント基板とを搭載する装置基台と、前記装置基台を閉塞するカバーと、前記プリント基板の第１の面と前記装置基台に接触するガスケットと、前記プリント基板の第２の面と前記カバーに接触する押さえパッドとを有することを特徴とする。【選択図】      図１
2006073051.tif 000002
【特許請求の範囲】
【請求項１】
ディスク状の記憶媒体に対して信号を読み書きするヘッドを支持して前記記憶媒体に対して移動させるキャリッジ部と、
コネクタが取り付けられる第１の面と、前記第１の面の裏面を構成する第２の面を有し、前記キャリッジ部を制御する回路が設けられたプリント基板と、
前記キャリッジ部と前記プリント基板とを搭載する装置基台と、
前記装置基台を閉塞するカバーと、
前記プリント基板の第１の面と前記装置基台に接触するガスケットと、
前記プリント基板の第２の面と前記カバーに接触する押さえパッドと
を有することを特徴とするディスク装置。
【請求項２】
前記ガスケットは前記プリント基板の第１の面に取り付けられた前記コネクタの周囲に環状に取り付けられる
ことを特徴とする請求項１に記載のディスク装置。
【請求項３】
前記プリント基板の第２の面に、前記ヘッドとの信号のやり取りをするヘッドＩＣを搭載するとともに、
前記押さえパッドは、前記プリント基板の第２の面に、前記ヘッドＩＣを避けるように取り付けられる
ことを特徴とする請求項１に記載のディスク装置。
【請求項４】
前記押さえパッドは、前記ヘッドＩＣの周囲に環状に取り付けられる
ことを特徴とする請求項３に記載のディスク装置。
【請求項５】
前記押さえパッドは、前記プリント基板の第２の面に接着剤にて接着されている
ことを特徴とする請求項１に記載のディスク装置。
【請求項６】
前記押さえパッドは、前記カバーに接着剤にて接着されている
ことを特徴とする請求項１に記載のディスク装置。
【発明の詳細な説明】
【技術分野】
【０００１】
この発明は、ディスク装置に関し、特に押さえパッドを利用したプリント基板の取り付け構造を有するディスク装置に関する。
【背景技術】
【０００２】
従来の磁気ディスク装置では、ヘッドアクチュエータ（キャリッジ）に連結されたフレキシブルプリント基板（以下、ＦＰＣと称する）にはネジ穴止め用の穴が開いており、これを用いてＦＰＣを基台にネジ止め固定している。
【０００３】
特開２００４−９５０５５に開示されているように、ＦＰＣに半田付けされているコネクタは、基台に開けた穴から外部に露出し、そこで外部のプリント基板（以下、ＰＣＢと称する）に実装された対のコネクタとはめ合わされている。
【０００４】
従来の磁気ディスク装置において、仮にＦＰＣを基台に固定する際に位置のズレが生じてしまった場合、ＰＣＢはコネクタでのはめ合いを通してこのズレに倣ってしまうため、ＰＣＢと基台の間にもズレが生じる。この位置ズレが発生した状態で、ＰＣＢと基台の間をつなぐもう一つのコネクタ（具体的にはスピンドルモータに電源を供給するためのコネクタ）の導通を確保するために、位置ズレの許容量が大きいパッド接触式のコネクタが使用されていた。
【０００５】
【特許文献１】特開２００４−９５０５５公報（図１、要約）
【発明の開示】
【発明が解決しようとする課題】
【０００６】
しかしながら、近年、磁気ディスク装置の小型化が進み、コネクタや電子部品を搭載するＦＰＣ、ＰＣＢの面積も小型化されてくるため、これら小型の磁気ディスク装置においては、広い実装面積を必要とするパッド接触式のコネクタを実装するための十分な物理的スペースがなく、問題が生じている。
【０００７】
また、上述の従来技術におけるＦＰＣの位置ズレが極端に大きかった場合、これを無理やり修正した上でＰＣＢを基台にネジ止めしてしまうと、コネクタ部分に歪み応力が発生し、最悪の場合はコネクタとＦＰＣの間の半田付けが破断すること可能性も有り、これは磁気ディスク装置の信頼性に関わるってくる。
【０００８】
そこで、本発明は上記の問題を解決するためになされたもので、それぞれ弾性体で作られたガスケットと押さえパッドでＦＰＣを挟み込み、それを基台及びトップカバーで挟みつけることによってＦＰＣを固定というもので、これにより、ＦＰＣが基台に対して剛に固定されず、弾性体に挟まれているため、ＦＰＣが基台に対してある程度自由に移動することが可能である。従って、仮にＦＰＣが本来あるべき位置からずれて取りつけられていても、ＰＣＢ側から力をかけることによって本来の位置に近づくように移動させることができる。この位置修正の際、コネクタ部分に発生するひずみ応力はごく僅かであるため、これによってコネクタとＦＰＣとの間の半田付けが破断することはない。
【０００９】
また、ＦＰＣの位置を自在に修正することが可能となり、スピンドルモータ側コネクタを位置ずれ許容量の大きいパッド接触式にする必要がなくなるとともに、従来のネジ固定式のＦＰＣのようにネジ穴を開ける必要のない、ＦＰＣのサイズが小さく、小型で信頼性の高いディスク装置を提供することにある。
【課題を解決するための手段】
【００１０】
上述の課題を解決するために、この発明に係るディスク装置は、ディスク状の記憶媒体に対して信号を読み書きするヘッドを支持して前記記憶媒体に対して移動させるキャリッジ部と、コネクタが取り付けられる第１の面と、前記第１の面の裏面を構成する第２の面を有し、前記キャリッジ部を制御する回路が設けられたプリント基板と、前記キャリッジ部と前記プリント基板とを搭載する装置基台と、前記装置基台を閉塞するカバーと、前記プリント基板の第１の面と前記装置基台に接触するガスケットと、前記プリント基板の第２の面と前記カバーに接触する押さえパッドとを有することを特徴とするものである。
【発明の効果】
【００１１】
この発明によれば、上記のような構成をとることにより、ＦＰＣの位置を自在に修正することが可能となり、スピンドルモータ側コネクタを位置ずれ許容量の大きいパッド接触式にする必要がなくなるとともに、従来のネジ固定式のＦＰＣのようにネジ穴を開ける必要のない、ＦＰＣのサイズが小さく、小型で信頼性の高いディスク装置を提供することが可能となる。
【発明を実施するための最良の形態】
【００１２】
以下、この発明の実施形態について、図面を参照しながら詳細を説明する。
本発明の実施形態に係るディスク装置である磁気ディスク装置の構造を図１を用いて説明する。
図１に示すように、本実施形態の磁気ディスク装置は、その内部にあるアクチュエータ４１０と、装置外部にあるプリント基板（ＰＣＢ）４０８との間を電気的に導通させるための手段として、フレキシブルプリント基板（ＦＰＣ）４０１が用いられる。ＦＰＣの裏面にはコネクタが半田付けされており、これが基台４０４に開けられた穴を通してＰＣＢ側コネクタ４０９と接合され、ＰＣＢ４０８との電気的な導通がとられる。
【００１３】
本実施形態では、このＦＰＣ４０１を基台４０４の所定位置に固定するための固定構造に関するものである。
図２に本実施形態のＦＰＣ４０１の構造を詳細に説明する。図２（ａ）はＦＰＣ４０１の折り重ね前の状態を示す斜視図、図２（ｂ）は当該ＦＰＣ４０１を折り重ねた状態を示す斜視図、図２（ｃ）は、ＦＰＣ４０１上に押さえパッド１０５を搭載した状態を示す斜視図である。
【００１４】
これらの図に示すように、このＦＰＣ４０１は、第１の基板部２１ならびに第２の基板部２２を、これら第１の基板部２１と第２の基板部２２との間の折り曲げ可能な連結部２３で連結して構成される。連結部２３は、ＦＰＣ４０１のみで構成された部位である。
【００１５】
ＦＰＣ４０１は、ベースフィルム、導体金属箔、接着剤及びカバーレイの各層で構成されている。
第２の基板部２２には可動部支持部２４が一体に設けられ、この可動部支持部２４には、一端が図１に示したキャリッジ４１０に、一端が接続されたＦＰＣ基板の可動部２５の他端の他端に接続されている。
【００１６】
また、第１の基板部２１のＦＰＣ４０１上には、図１に示したＰＣＢ４０８のコネクタ４０９と接続されるコネクタ１０２が取り付けられている。第２の基板部２２のＦＰＣ４０１上には、例えばヘッドＩＣ２８が実装されている。
【００１７】
このＦＰＣ４０１をたとえば図１に示すような磁気ディスク装置に組み付けるときには、まず、第１の基板部２１と第２の基板部２２とを連結部２３で折り曲げて、図２（ｂ）に示す状態に重ね合わせる。このとき、第１の基板部２１のかぎ状突起２９を折り曲げて他方の基板部２２に設けられた突起３０に勘合することで、基板部２１、２２は図２（ｂ）に示す折り重ね状態に拘束される。また、可動部支持部２４は基板面に対して起立するように折り曲げておく。
【００１８】
更に、図２（ｃ）に示すように、ＦＰＣ４０１の基板部２２上に実装されたヘッドＩＣ２８の周囲には、それを避ける状態で、ヘッドＩＣ２８の周囲のＦＰＣ４０１面上に、環状の弾性部材である押さえパッド１０５が配置される。本実施形態では、押さえパッド１０５は、ＦＰＣ４０１の基板部２２の表面に接着剤にて接着されて固定されている。
【００１９】
次に、このように各基板部２１、２２を折り重ね、基板部２２面上に押さえパッド１０５を固定した状態のＦＰＣ４０１を、コネクタ１０２の実装面をＰＣＢ４０８に向けた状態で基台４０４内に組み付け、このときＦＰＣ４０１のコネクタ１０２をＰＣＢ４０８のコネクタ４０９と連結させる。
【００２０】
次に、本実施形態に係る磁気ディスク装置におけるＦＰＣ４０１の取り付け状態を図３の断面図をもとに説明する。
図３に示すように、ＦＰＣ４０１にはコネクタ１０２が半田付けされており、コネクタ１０２は磁気ディスク装置の基台４０４に開けられた穴を通じて装置外部にアクセス可能なような位置に設置されている。
【００２１】
ＦＰＣ４０１と基台４０４との間には弾性体によって作られたガスケット１０３が、基台４０４に開けられた穴を取り囲むようにして設置されており、これが磁気ディスク装置外部と内部を遮断するシールの役目を果たす。
【００２２】
本実施形態におけるガスケット１０３は、図４に示すように、ＦＰＣ４０１の基板部２１上に実装されたコネクタ１０２の周囲には、それを避ける状態で、コネクタ１０２の周囲のＦＰＣ４０１面上に、環状の弾性部材であるガスケット１０３が配置される。
【００２３】
一方で、ＦＰＣ４０１の上側（コネクタ１０２のある方と反対側）には押さえパッド１０５と呼ばれる、やはり弾性体で作られた部材が設置されている。押さえパッド１０５は、磁気ディスク装置にトップカバー１０６を取り付けた際に、トップカバー１０６とＦＰＣ４０１に挟まれて弾性変形するよう、十分な厚みを有する。弾性変形した押さえパッド１０５は、ガスケット１０３との間でＦＰＣ４０１を押さえつけるようにして、ＦＰＣ４０１の位置を固定する。ＦＰＣ４０１は、弾性体によって挟まれているだけなため多少の移動余地を有している。従ってコネクタ１０２に外力が加わった場合、それに逆らわずにＦＰＣ４０１の位置が移動することになる。
【００２４】
一方、通常はＦＰＣ４０１の上面に、ヘッドＩＣ等の電子部品２８が実装されている場合が殆どである。このような場合には、押さえパッド１０５はヘッドＩＣ２８を避けるような形状を有する。
【００２５】
なお、押さえパッド１０５はＦＰＣ４０１に接着剤等で接着され一体化された部品であっても構わない。あるいは、図５に示すように、押さえパッド１０５とトップカバー１０６が互いに接着され一体化しているという形態も考えられる。
【００２６】
図４は、図３で示した本実施形態を、視点を変えて図示したものである。コネクタ１０２は基台４０４に開けられた穴を通じて装置外部にアクセス可能なような位置に設置されている。ＦＰＣ４０１と基台４０４との間には弾性体によって作られたガスケット１０３が、基台４０４に開けられた穴を取り囲むようにして設置されており、これが磁気ディスク装置外部と内部を遮断するシールの役目を果たしている。
【００２７】
以上のように構成された磁気ディスク装置によれば、上記のような構成をとることにより、ＦＰＣの位置を自在に修正することが可能となり、スピンドルモータ側コネクタを位置ずれ許容量の大きいパッド接触式にする必要がなくなるとともに、従来のネジ固定式のＦＰＣのようにネジ穴を開ける必要のない、ＦＰＣのサイズが小さく、小型で信頼性の高いディスク装置を提供することが可能となる。
【００２８】
なお、本発明は磁気ディスク装置を例に説明したが、情報が書き込み可能なディスクを搭載した装置の基板ユニットのグランド強化、例えば、光磁気ディスクドライブ、ＣＤ／ＤＶＤドライブにおいて用いられるＦＰＣ基板の取り付けにも有効な構造で、それに適用可能である。
【００２９】
以上、この構造の実施形態によれば、上記のような構成をとることにより、ＦＰＣの位置を自在に修正することが可能となり、スピンドルモータ側コネクタを位置ずれ許容量の大きいパッド接触式にする必要がなくなるとともに、従来のネジ固定式のＦＰＣのようにネジ穴を開ける必要のない、ＦＰＣのサイズが小さく、小型で信頼性の高いディスク装置を提供することが可能となる。
【図面の簡単な説明】
【００３０】
【図１】本発明の実施形態に係るディスク装置の斜視図
【図２】本発明の実施形態に係る基板ユニットの展開斜視図
【図３】本発明の実施形態に係る基板ユニットをディスク装置に取り付けた時の断面図
【図４】本発明の実施形態に係る基板ユニットをディスク装置に取り付けた時の正面図
【図５】本発明の変形例を示すディスク装置の斜視図
【符号の説明】
【００３１】
２１……基板部
２２……基板部
２３……連結部
２４……可動部支持部
２５……可動部
２８……ヘッドＩＣ
２９……かぎ状突起
３０……突起
１０２……コネクタ
１０５……押さえパッド
１０６……カバー
４０１……フレキシブル基板（ＦＰＣ）
４０３……ガスケット
４０４……装置基台
４０８……プリント基板（ＰＣＢ）
４０９……コネクタ
４１０……キャリッジ
【図１】
2006073051.tif 000003
【図２】
2006073051.tif 000004
【図３】
2006073051.tif 000005
【図４】
2006073051.tif 000006
【図５】
2006073051.tif 000007